(57)【要約】【課題】  母屋に仮支持した屋根パネルの位置ズレを防止できると共に、屋根パネルに発生した反りに伴う矯正作業も容易に行い得る屋根パネルの仮支持構造を提供する。【解決手段】  屋根施工用金具５を屋根パネル１の垂木２の下面に沿わせて固定するパネル固定部６と、パネル固定部６の側方に突出した工具用押圧部７と、パネル固定部６の水上側に延設した母屋引掛部８とを備えて形成する。屋根パネル１の垂木２の下面に沿わせてパネル固定部６を固定する。工具用押圧部７を垂木２の側方に突出させるように配置する。母屋引掛部８を母屋４の上フランジ４ａの下面に水下側から係止する。工具用押圧部７と母屋４の上フランジ４ａとの間に、母屋４の上フランジ４ａの下面に係止させた先端を中心に基端側を下方に回動操作することで工具用押圧部７を下方に押圧するように使用するパネル引寄用工具１０を挿入可能にする工具挿入用隙間９を形成する。【選択図】図１
2008156999.tif 000002
【特許請求の範囲】
【請求項１】
垂木に野地板を載設して成る屋根パネルを、母屋の上フランジ上に載置して固定させる前段階で、屋根施工用金具を用いて母屋に仮支持させる屋根パネルの仮支持構造であって、この屋根施工用金具を屋根パネルの垂木の下面に沿わせて固定するパネル固定部と、パネル固定部の側方に突出した工具用押圧部と、パネル固定部の水上側に延設した母屋引掛部とを備えて形成し、屋根パネルの垂木の下面に沿わせて屋根施工用金具のパネル固定部を固定し、屋根施工用金具の工具用押圧部を垂木の側方に突出させるように配置し、屋根施工用金具の母屋引掛部を母屋の上フランジの下面に水下側から係止し、工具用押圧部と母屋の上フランジとの間に、工具の先端を母屋の上フランジの下面に係止させてその係止点を中心に工具の基端側を下方に回動操作することで工具用押圧部を下方に押圧するように使用するパネル引寄用工具を挿入可能にする工具挿入用隙間を形成して成ることを特徴とする屋根パネルの仮支持構造。
【発明の詳細な説明】
【技術分野】
【０００１】
本発明は、屋根パネルの仮支持構造に関するものである。
【背景技術】
【０００２】
従来から、野地板３に垂木２を取り付けてパネル化した屋根パネル１を、屋根の傾斜に合わせて配設された複数本の横架材である母屋４に渡すように載せて固定させることで、屋根を形成することが知られている（図３参照）。この屋根の施工は、上棟業者により屋根パネル１をクレーンなどで吊り上げて母屋４上に載せ、落下を防止すると共に位置決めをして仮支持しておき、その後、大工業者により屋根パネル１の母屋４への固定を行う場合が多い。
【０００３】
ところで、屋根パネル１の母屋４への仮支持は、たとえば図４のように垂木２に取り付けた引掛具２０を母屋４に水上側から引っ掛け係止させるといったように、斜めに置かれた屋根パネル１の水下側への自重を利用して母屋４の上フランジ４ａに対して水上側から引っ掛けることで行うのが一般的であるが（たとえば特許文献１参照）、仮支持された屋根パネル１に突風等の強い上昇力が負荷された場合には屋根パネル１が飛び上がり、水上側にずれてしまう恐れがある。つまり良好な仮支持強度を有しているとは言えるものではなかった。
【０００４】
また、屋根パネル１に照り付けや風雨に晒される等の何らかの原因で反りが発生していると、仮支持した屋根パネル１は部分的に垂木２が母屋４から浮き上がってしまうこともある。このような場合、垂木２の母屋４からの浮き上がりを矯正した後に屋根パネル１を母屋４に固定するのであるが、現場施工で行う上記垂木２の母屋４からの浮き上がりの矯正作業は煩雑かつ困難な作業であるといった問題があった。
【０００５】
殊に、上述のように仮支持から固定までに施工業者が替わる等のタイムラグがある場合には、特に上記問題が生じ易いものであった。
【特許文献１】特開２００４−３２４３６４号公報
【発明の開示】
【発明が解決しようとする課題】
【０００６】
本発明は上記の点に鑑みてなされたものであり、その目的とするところは、良好な仮支持強度を確保すると共に、屋根パネルに発生した反りに伴う矯正作業も容易に行い得る屋根パネルの仮支持構造を提供することを課題とするものである。
【課題を解決するための手段】
【０００７】
上記課題を解決するために本発明の屋根パネルの仮支持構造にあっては、垂木２に野地板３を載設して成る屋根パネル１を、母屋４の上フランジ４ａ上に載置して固定させる前段階で、屋根施工用金具５を用いて母屋４に仮支持させる屋根パネル１の仮支持構造であって、この屋根施工用金具５を屋根パネル１の垂木２の下面に沿わせて固定するパネル固定部６と、パネル固定部６の側方に突出した工具用押圧部７と、パネル固定部６の水上側に延設した母屋引掛部８とを備えて形成し、屋根パネル１の垂木２の下面に沿わせて屋根施工用金具５のパネル固定部６を固定し、屋根施工用金具５の工具用押圧部７を垂木２の側方に突出させるように配置し、屋根施工用金具５の母屋引掛部８を母屋４の上フランジ４ａの下面に水下側から係止し、工具用押圧部７と母屋４の上フランジ４ａとの間に、工具１０の先端を母屋４の上フランジ４ａの下面に係止させてその係止点を中心に工具１０の基端側を下方に回動操作することで工具用押圧部７を下方に押圧するように使用するパネル引寄用工具１０を挿入可能にする工具挿入用隙間９を形成して成ることを特徴とする。
【０００８】
これによると、屋根パネル１を仮支持した状態では、屋根パネル１に固定した屋根施工用金具５の母屋引掛部８を母屋４の上フランジ４ａの下面に水下側から係止しているので、屋根パネル１に突風等の強い上昇力が負荷された場合の屋根パネル１の飛び上がりを防止できると共に、落下を防止するために一般に行われる屋根パネル１の母屋４への水上側からの引っ掛けと併せて屋根パネル１を水下側・水上側の両方から母屋４に引っ掛けることができるから屋根パネル１の位置ズレを有効に防止できるのであり、良好な仮支持強度を確保できる。また、屋根施工用金具５の工具用押圧部７と母屋４の上フランジ４ａとの間に形成した工具挿入用隙間９から、パネル引寄用工具１０を挿入し、工具１０の先端を母屋４の上フランジ４ａの下面に係止させてその係止点を中心に工具１０の基端側を下方に回動操作することで工具用押圧部７を下方に押圧するといった作業によって、従来困難であった反りの発生した屋根パネル１における垂木２の母屋４からの浮き上がりの矯正作業を、簡単に行うことができる。
【発明の効果】
【０００９】
本発明にあっては、良好な仮支持強度を確保すると共に、屋根パネルに発生した反りに伴う矯正作業も容易に行い得るようにして屋根形成施工の施工性を向上できる、という利点を有する。
【発明を実施するための最良の形態】
【００１０】
以下、本発明を添付図面に示す実施形態に基いて説明する。
【００１１】
本例の屋根は、従来と同様に、図３のように間隔をあけて並設した複数の垂木２に野地板３を張設して成る木製の屋根パネル１を、屋根の傾斜に合わせて配設された複数本の横架材である母屋４に渡すように載せた状態で、固定用金具１５を用いて垂木２を母屋４に固定させることで形成されるのであるが、本発明は、屋根パネル１を母屋４に固定する前段階における、屋根施工用金具５を用いた屋根パネル１の母屋４への仮支持構造に特徴を有する。
【００１２】
屋根施工用金具５は、図２のように、一枚の金属板を折り曲げて形成したものである。詳しくは、屋根施工用金具５は、垂木２の下面に沿わせて固定するための屋根勾配と同様に傾斜した板状のパネル固定部６を有している。また屋根施工用金具５は、パネル固定部６から水上側に略水平に折り曲げて突設されると共に、母屋４の下面に水下側から引っ掛けることでパネル固定部６に固定した屋根パネル１を母屋４に載置した状態で仮固定できるようにする母屋引掛部８を有している。また屋根施工用金具５は、パネル固定部６に固定した垂木２の側方に突出するようにパネル固定部６から側方に突設される工具用押圧部７を有している。この工具用押圧部７は、屋根パネル１を仮支持した状態で母屋４との間に後述の工具挿入用隙間９を形成できるよう、パネル固定部６の側部における、水上側端部から水下側に所定間隔を隔てた位置（本例ではパネル固定部６の側部の水下側域）から側方に向けて突設されている。なお、パネル固定部６には垂木２に打入する固定ビス１１を挿通するための貫通孔であるビス挿通孔６ａが穿設されている。本例ではビス挿通孔６ａはパネル固定部６の水下側域の部位と水上側域の部位との２箇所に設けられている。
【００１３】
屋根を施工するには、まず上棟業者によって屋根パネル１をクレーンで吊り上げて母屋４上に渡すように載置して仮支持する。このときには交差する屋根パネル１の垂木２と母屋４との任意箇所で、従来のように適宜の引掛具２０を母屋４の上フランジ４ａに水上側から引っ掛けて屋根パネル１の母屋４からの落下防止が図られるのであり、また同時に図１，２のように、屋根施工用金具５のパネル固定部６を屋根パネル１の垂木２に固定し、屋根施工用金具５の母屋引掛部８を母屋４の上フランジ４ａに水下側から係止させることが行われる。詳しくは、母屋４は水平な上フランジ４ａ及び下フランジ４ｂを垂直なウェブ４ｃで連結させたＨ鋼型枠材で構成されている。また、屋根施工用金具５は、母屋引掛部８を母屋４の上フランジ４ａの下面に水下側から当てた上で、母屋４上に載置された屋根パネル１の垂木２の下面にパネル固定部６を当ててビス挿通孔６ａに挿通させた固定ビス１１を垂木２に打入するといった要領で、屋根パネル１に固定される。このときには、屋根施工用金具５の工具用押圧部７を垂木２の側方（隣接する垂木２の間の空間）に突出するように位置させると共に、この工具用押圧部７の水上側と母屋４の上フランジ４ａの水下側との間に工具挿入用隙間９を形成させるようにしておく。
【００１４】
上記のように屋根パネル１を母屋４に仮支持させた状態では、屋根パネル１に固定した屋根施工用金具５の母屋引掛部８を母屋４の上フランジ４ａの下面に水下側から係止しているので、屋根パネル１に突風等の強い上昇力が負荷された場合の屋根パネル１の飛び上がりが防止されている。また、落下を防止するために一般に行われる屋根パネル１の母屋４への水上側からの引っ掛けと併せて、上記のように屋根施工用金具５の母屋引掛部８を母屋４の上フランジ４ａの下面に水下側から係止しているので、屋根パネル１が水下側・水上側の両方から母屋４に引っ掛けられた状態となっており、屋根パネル１の水上側及び水下側への位置ズレが有効に防止されているのである。つまり、屋根パネル１を仮支持した状態では、屋根パネル１の母屋４への位置決め配置状態が強固に維持可能になっている（良好な仮支持強度が確保されている）。
【００１５】
続けて屋根を形成するには、たとえば大工業者によって、図３のように上記仮支持された屋根パネル１の垂木２を固定用金具１５を用いて母屋４に固定することで行う。この固定用金具１５は図１（ｂ）のように垂木２の側面に固定するパネル固定部１６を有すると共に母屋４の上フランジ４ａを挿入するための切り込み１８を有している。パネル固定部１６には垂木２に打入する固定ビス１７を挿通するための貫通孔であるビス挿通孔１６ａが複数穿設されている。なお、本例の固定用金具１５は垂木２の右側面・左側面にも汎用して固定できるように上下で位置関係を逆にしたパネル固定部１６及び切り込み１８が２組形成されている。この固定用金具１５は、パネル固定部６を仮支持された屋根パネル１の垂木２の側面に当て、切り込み１８を母屋４の上フランジ４ａに水上側からかち込む（矢印Ｂ）と共に、ビス挿通孔１６ａに挿通した固定ビス１７を垂木２に打入することで、垂木２と母屋４とを連結させて固定を行わせるのである。
【００１６】
ところで、屋根パネル１に照り付けや風雨に晒される等の何らかの原因で反りが発生していると、仮支持した屋根パネル１は部分的に垂木２が母屋４から浮き上がってしまうこともあるのであり（図１（ａ）のＳが垂木２の母屋４からの浮き上がりによる隙間である）、このような場合、現場施工で垂木２の母屋４からの浮き上がりを矯正した後に上記のように屋根パネル１を母屋４に固定することとなる。この反りの発生した屋根パネル１における垂木２の母屋４からの浮き上がりの矯正作業は、従来では困難な作業であったが、本例では簡単に行うことが可能にされている。
【００１７】
すなわち、上述のように屋根パネル１の母屋４への仮支持した状態では、屋根施工用金具５の工具用押圧部７が、垂木２の側方（垂木２と隣接する垂木２の間の空間）に突出されると共に、この工具用押圧部７の水上側と母屋４の上フランジ４ａの水下側との間に工具挿入用隙間９が形成されている。しかして、垂木２を母屋４に固定する大工業者などの施工者が、図１（ｂ）のように、屋根施工用金具５の工具用押圧部７より上方の隣接する垂木２の間の空間から、たとえば「しの」のような棒状のパネル引寄用工具１０を工具挿入用隙間９に挿入してこの工具１０の先端を母屋４の上フランジ４ａの下面に係止させ、次いで、工具１０の母屋４の上フランジ４ａの下面への係止点を中心に工具１０の基端側を把持して下方に回動操作し（矢印Ｃ）、工具１０における把持位置と先端との間の部位にて工具用押圧部７を下方に押圧するといった梃子の原理を利用して省力化の図られた作業を行うことで、屋根パネル１が母屋４に近接されて（矢印Ａ）、垂木２の母屋４からの浮き上がりが簡単に矯正可能にされているのである。
【００１８】
このように、本例の屋根施工用金具５を用いた屋根パネル１の仮支持構造にあっては、良好な仮支持強度が確保される利点と共に、屋根パネル１に発生した反りに伴う矯正作業も容易に行い得るようにして屋根形成施工の施工性を向上できる利点をも有するものとなっているのである。
【図面の簡単な説明】
【００１９】
【図１】本発明の実施の形態の例であり、（ａ）は屋根パネルを母屋に仮支持させた状態の側面図であり、（ｂ）は垂木の母屋からの浮き上がりの矯正作業を伴う垂木の母屋への固定作業を説明する屋根パネルが母屋に仮支持された状態の側面図である。
【図２】同上の屋根パネルを母屋に仮支持させた状態における野地板を省略して一部を切り欠いた斜視図である。
【図３】同上の屋根であり、（ａ）は側面図であり、（ｂ）は斜視図である。
【図４】従来技術の例の屋根パネルを母屋に仮支持させた状態の側面図である。
【符号の説明】
【００２０】
１  屋根パネル
２  垂木
３  野地板
４  母屋
５  屋根施工用金具
６  パネル固定部
７  工具用押圧部
８  母屋引掛部
９  工具挿入用隙間
１０  パネル引寄用工具
【図１】
2008156999.tif 000003
【図２】
2008156999.tif 000004
【図３】
2008156999.tif 000005
【図４】
2008156999.tif 000006